(57)【要約】【課題】本実施形態は、非使用時は自動的に収納状態に戻って安全性を確保し、使用時において収納位置から人為的に引き出して被吊持物（ナイトカバー）を掛止可能としたフックおよび、そのフックを用いたオープンショーケースを提供する。【解決手段】フックは、少なくとも直交する方向に辺部を有するばね巻装部およびばね巻装部の一方の辺部と一体に連設される掛止部とからなるフック本体と、ばね巻装部の一辺部に巻装されるばね部と、ばね部の一端から延出されるばね保持部および、ばね部の他端から延出されフック本体のばね巻装部の他辺部に巻き付き固定される巻き付け当接部を有するねじりばねと、ばね保持部の移動を規制するとともにフック本体を被取付け部に対して回動可能に保持することにより、ばね保持部を弾性変形させ、ばね部を介して巻き付け当接部に弾性力を作用させてフック本体を被取付け部に当接させる固定具を具備する。【選択図】    図３
2015208600.tif 000002
【特許請求の範囲】
【請求項１】
少なくとも直交する方向に辺部を有するばね巻装部および、前記ばね巻装部の一方の辺部と一体に連設される掛止部とからなるフック本体と、
前記フック本体の前記ばね巻装部の一辺部に巻装されるばね部と、前記ばね部の一端から延出されるばね保持部および、前記ばね部の他端から延出され前記フック本体の前記ばね巻装部の他辺部に巻き付き固定される巻き付け当接部を有するねじりばねと、
前記ばね保持部の移動を規制するとともに前記フック本体を被取付け部に対して回動可能に保持することにより、前記ばね部を弾性変形させ、前記ばね部を介して前記巻き付け当接部に弾性力を作用させて前記フック本体を被取付け部に当接させる固定具と、を具備し、
前記フック本体が被取付け部に当接した状態で、前記ねじりばねの弾性力に抗して前記フック本体を付勢することにより、前記フック本体を被取付け部から離反させ、前記フック本体の前記掛止部に被掛止物を掛止可能としたことを特徴とするフック。
【請求項２】
前記ばね保持部を前記固定具と被取付け部との間に介在して、前記ばね部を弾性変形させることを特徴とする請求項１記載のフック。
【請求項３】
前記ばね保持部を前記固定具表面に当接して、前記ばね部を弾性変形させることを特徴とする請求項１記載のフック。
【請求項４】
前記フック本体の前記ばね巻装部における一方の辺部と、前記掛止部の一端部とは、嵌め込み用隙間を介して対向することを特徴とする請求項１ないし請求項３のいずれか記載のフック。
【請求項５】
前記フック本体における、前記ばね巻装部の他辺部と前記掛止部との一体連設部分を手前側とし、前記嵌め込み用隙間を奥側にして、前記掛止部に被掛止物を掛止可能としたことを特徴とする請求項４記載のフック。
【請求項６】
断熱材で構成されるショーケース本体と、
前記ショーケース本体内に設けられ、商品を陳列するとともに、商品を取出し自在な開口部を有する陳列室と、
前記陳列室外部で、前記ショーケース本体下部に配置され冷凍サイクルを構成する蒸発器および送風機と、
前記送風機から送風され、前記蒸発器で熱交換して生成された冷気を、前記陳列室外部の下部から上部および前記陳列室の開口部上端に設けられるエアカーテン吹出し口に沿って流通案内する冷気循環用ダクトと、
前記陳列室の開口部下端に設けられ、前記エアカーテン吹出し口から前記貯蔵室の開口部を亘って吹出された冷気を吸込み案内して前記送風機に導く吸込み口と、を具備し、
請求項１ないし請求項５のいずれか記載のフックを、前記陳列室の開口部上端に備え、前記貯蔵室の開口部下端にナイトカバーを引出し可能に収納した
ことを特徴とするオープンショーケース。
【発明の詳細な説明】
【技術分野】
【０００１】
本発明の実施形態は、フックおよび、そのフックを用いたオープンショーケースに関する。
【背景技術】
【０００２】
被取付け部の上端に取付けたフックに物を掛止して吊持する場合、あるいは被取付け部の下端に取付けたフックに上部から物を伸ばして掛止する場合など、フックの使い方はさまざまである。いずれにしても、使用時にはフックとしての最適姿勢となり、非使用時には収納姿勢になって物の出し入れ等の邪魔とならないことが望ましい。
【０００３】
たとえばオープンショーケースにおいて、夜間・早朝等の非営業時間帯は冷凍サイクル運転を低能力もしくは停止させて、運転コストの低減化を図る必要がある。そのため、該時間帯は陳列室の開口部全面をナイトカバーで覆って冷気の漏れを防止し、営業時間帯になったらナイトカバーを取外して開口部を開放するとよい。
【０００４】
ナイトカバーを陳列室の開口部上端に収納し、非営業時間帯になったら下方へ延して、開口部下端に設けたフックに掛止するタイプのオープンショーケースがある。この場合、フックは開口部下端に設けた吸込み口に装着するようになっていて、不使用時になっても取り忘れの虞れがあり、また取外して所定の場所に収納しても紛失の虞れがある。
【先行技術文献】
【特許文献】
【０００５】
【特許文献１】特開２００３−２８７３６１号公報
【発明の概要】
【発明が解決しようとする課題】
【０００６】
また、陳列室の開口部上端にフックを設け、開口部下端に収納するナイトカバーを引き上げて、フックに掛止するタイプのオープンショーケースも考えられる。  
この場合、フックは短冊状の板体からなり、一方の端部に孔部を設け、他方の端部は板面に沿って略Ｕ字状に曲成された掛止部であり、この掛止部近傍の板体側端縁に半円状の切欠きを設ける。また、陳列室の天井板前面には、取付け用ねじと掛止用ねじを左右に所定の間隔を有して螺挿し、それぞれのねじの頭部は天井板前面と間隙を有する。
【０００７】
営業時間帯は、フックの孔部を陳列室の天井板前面と取付け用ねじの頭部との間に緩く嵌め込むとともに、フックの切欠きを掛止用ねじの頭部と天井板前面との間に挿入する。したがって、フックは陳列室天井板前面に沿って取付けられ、目立たずにすみ、オープンショーケースとしての外観を損なわない。
【０００８】
非営業時間帯になったら、フックの切欠きを掛止用ねじの頭部と陳列室天井板前面との間から取外し、フックを取付け用ねじに対して回動し、この取付けねじからフックを垂下させる。そして、陳列室の開口部下端からナイトカバーを引き上げて開口部全面を覆い、ナイトカバー上端に取付けられる把手をフックの掛止部に引っ掛ける。
【０００９】
このように、非営業時間帯におけるフックおよびナイトカバー自体の作用については何ら問題がない。ただし、営業時間帯であるフックの非使用時に、フックは半円状切欠きを掛止用ねじの頭部と天井板前面との間に挿入しただけなので、ある程度の衝撃があった場合、もしくは自然的にフックは掛止用ねじから外れて垂れ下がってしまう虞れがある。
【００１０】
そして、この状態で陳列室から商品を取出す際に、フックに手や指もしくは頭部が触れる虞れがある。したがって、オープンショーケースにおいてもフックの非使用時には確実に収納状態になることが望ましい。
【００１１】
そこで本実施形態は、非使用時は自動的に収納状態に戻って安全性を確保し、使用時において収納位置から人為的に引き出して被吊持物（ナイトカバー）を掛止可能としたフックおよび、そのフックを用いたオープンショーケースを提供しようとするものである。
【課題を解決するための手段】
【００１２】
本実施形態のフックは、少なくとも直交する方向に辺部を有するばね巻装部およびばね巻装部の一方の辺部と一体に連設される掛止部とからなるフック本体と、フック本体のばね巻装部の一辺部に巻装されるばね部と、ばね部の一端から延出されるばね保持部および、ばね部の他端から延出されフック本体のばね巻装部の直交する他辺部に巻き付き固定される巻き付け当接部を有するねじりばねと、ばね保持部の移動を規制するとともにフック本体を被取付け部に対して回動可能に保持することにより、ばね部を弾性変形させ、ばね部を介して巻き付け当接部に弾性力を作用させてフック本体を被取付け部に当接させる固定具とを具備し、前記フック本体が被取付け部に当接した状態でねじりばねの弾性力に抗してフック本体を付勢することにより、フック本体を被取付け部から離反させ、フック本体の掛止部に被掛止物を掛止可能とした。  
本実施形態のオープンショーケースは、断熱材で構成されるショーケース本体と、ショーケース本体内に設けられ商品を陳列するとともに商品を取出し自在な開口部を有する陳列室と、陳列室外部でショーケース本体下部に配置され冷凍サイクルを構成する蒸発器および送風機と、送風機から送風され蒸発器で熱交換して生成された冷気を陳列室外部の下部から上部および陳列室の開口部上端に設けられるエアカーテン吹出し口に沿って流通案内する冷気循環用ダクトと、陳列室の開口部下端に設けられエアカーテン吹出し口から貯蔵室の開口部を亘って吹出された冷気を吸込み案内して送風機に導く吸込み口とを具備し、上述のフックを陳列室の開口部上端に備え、貯蔵室の開口部下端にナイトカバーを引出し可能に収納した。
【図面の簡単な説明】
【００１３】
【図１】本実施形態に係る、フックをえたオープンショーケースの概略の縦断面図。
【図２】同実施形態に係る、営業時間帯におけるオープンショーケースの外観斜視図と、非営業時間帯におけるオープンショーケースの外観斜視図。
【図３】同実施形態に係る、フックを分解した斜視図。
【図４】同実施形態に係る、フックの互いに異なる組立斜視図。
【図５】同実施形態に係る、オープンショーケースに取付けられたフックの斜視図。
【図６】同実施形態に係る、フックにナイトカバーを取付けする途中の斜視図。
【図７】同実施形態に係る、フックにナイトカバーを吊持した状態の斜視図。
【発明を実施するための形態】
【００１４】
以下、本実施の形態について、図面を参照して説明する。  
図１は、フックを備えたオープンショーケースの縦断側面図である。  
オープンショーケースは、ショーケース本体１が薄い鉄板で箱状に形成される基台２上に一体に載設されてなる。ショーケース本体１は、正面視および平面視で略矩形状をなし、それぞれ断熱板からなる天板１ａと、底面板１ｂと、背面板１ｃ、および断熱板と一部が断熱ガラス板で形成される左右両側面板１ｄとから構成される。
【００１５】
基台２の内部は機械室３となっていて、冷凍サイクルを構成する圧縮機と、凝縮器と、弁および配管類等（図示しない）が収容されている。  
ショーケース本体１内部は、上部に商品（図示しない）を陳列する陳列室４が設けられ、下部に熱交換室５が設けられる。
【００１６】
天板１ａの正面視は上下方向に薄く、左右幅方向に所定長さの矩形状をなし、天板１ａの下面は、空間を介して陳列室４の天井となる天井壁４ａが設けられる。陳列室４の底面となる底面壁４ｂは、熱交換室５の天井壁を形成している。
【００１７】
天井壁４ａと底面壁４ｂの間にある陳列室４の正面視は充分に上下方向に長く、左右幅方向に所定長さの矩形状をなす。また、天板１ａの側面視は、ショーケース本体背面板１ｃから所定長さだけ突出する矩形状をなす。熱交換室５の側面視は、背面板１ｃから天板１ａの突出量よりもわずかに長い所定長さだけ突出する矩形状をなす。
【００１８】
陳列室４の奥側の壁を形成している背面壁４ｃは、ショーケース本体背面板１ｃから前方へ所定寸法を有して形成されていて、上端部から下端部にかけて前方へ向かって僅かに傾斜している。
【００１９】
ショーケース本体１の左右両側面板１ｄは、それぞれ略コ字状の断熱板およびコ字状部分に嵌め込まれる断熱ガラス板によって覆われている。したがって、陳列室４は、天井壁４ａ、底面壁４ｂ、背面壁４ｃおよび左右両側面板１ｄによって前面を除く各面が閉塞され、前面のみが開放された前面開口部Ｔとなる。
【００２０】
陳列室４の背面壁４ｃは、天井壁４ａから底面壁４ｂに亘って漸次前方へ突出するよう傾斜している。この背面壁４ｃには、複数段の棚ａが上下方向に所定の間隔を存して設けられる。
【００２１】
それぞれの棚ａは、後端部を背面壁４ｃに支持され、前方へ突出していて、これら棚ａ上には販売される飲料等の商品が載置陳列される。また、棚ａは取り外し可能で、背面壁４ｃに設けられた差し込み孔（図示しない）に引っかけ固定することで、棚ａ間の上下方向の間隔を調整可能になっている。  
陳列室４の背面壁４ｃには、各棚ａ上の陳列した商品に対する冷却手段として、複数の冷却用吹出し口（図示しない）が設けられる。
【００２２】
天板１ａの下面、すなわち陳列室天井壁４ａの前端部に沿って、ショーケース本体１外部から陳列室４への外部空気の侵入を阻止するとともに、陳列室４の冷却を行う冷風を吹出すためのエアカーテン吹出し口６が設けられる。
【００２３】
天板１ａと陳列室天井壁４ａとの間の空間には、エアカーテン吹出し口６に冷風を案内するためのエアカーテン用ダクト７が形成される。このエアカーテン用ダクト７の基端部は、後述する送風ダクト８に連通する。
【００２４】
一方、陳列室４の底面壁４ｂの前端部に沿って、陳列室背面壁４ｃに設けられる冷却用吹出し口から吹出される冷風と、陳列室天井壁４ａに設けられるエアカーテン吹出し口６から吹出されるエアカーテン冷風とを吸込むための吸込み口９が設けられている。
【００２５】
エアカーテン吹出し口６と吸込み口９をつなぐ直線上には障害物がない。このため、エアカーテン吹出し口６から吹出されたエアカーテン冷風は、棚に邪魔されることなく吸込み口に円滑に吸込まれるようになっている。この結果、エアカーテンを安定して形成することができる。
【００２６】
上述した吸込み口９は、前面開口部Ｔと、陳列室４の底面壁４ｂの下に設けられる熱交換室５とを連通する。熱交換室５には送風機１０および冷却器（蒸発器）１１が配置される。冷却器１１と、冷媒管を介して基台２内部に配置される圧縮機、凝縮器、膨張弁等が連結され、これらで冷凍サイクルが構成される。
【００２７】
陳列室背面壁４ｃのさらに背面側は、空間を空けて上述したショーケース本体背面板１ｃが形成される。陳列室背面壁４ｃとショーケース本体背面板１ｃとの間の空間部には上述した送風ダクト８が形成され、天板１ａと陳列室天井壁４ａとの間の空洞であるエアカーテン用ダクト７に連通する。これら送風ダクト８とエアカーテン用ダクト７とで、冷気循環用ダクトＤが構成される。
【００２８】
前記エアカーテン吹出し口６のさらに前部で、天板１ａの正面前端辺部に沿って、蛍光灯もしくはＬＥＤからなる照明部１２を備えていて、陳列室４内の照明と、天板１ａの前面に描かれる商品名の照明をなす。
【００２９】
この照明部１２のさらに前部で、天板１ａ下面における正面略中央部に、後述するフックＦが取付けられている。これに対して、吸込み口９の前辺部に亘って、後述するナイトカバーＮを収納するナイトカバー収納部１３が設けられる。
【００３０】
このようにして構成されるオープンショーケースであり、送風機１０を駆動することにより、矢印で示すように吸込み口９から熱交換室５に空気が吸込まれ、冷却器１１に吹付けられ冷気が生成されて、冷気循環用ダクトＤを構成する送風ダクト８に導かれる。
【００３１】
冷気の一部は、送風ダクト８に導かれている途中で、陳列室４の背面壁４ｃに設けられる複数の冷却用吹出し口から吹出され、各棚ａ上に陳列した商品を冷却する。残りの冷気は送風ダクト８からエアカーテン用ダクト７に導かれて、エアカーテン吹出し口６から吹出される。
【００３２】
エアカーテン吹出し口６から吹出された冷気は、貯蔵室４の前面開口部Ｔに沿って流通し、冷気のエアカーテンを形成する。そして、冷気は吸込み口９に導かれ、ここから熱交換室５に案内されて、前記送風機１０により上述の系路を循環する。
【００３３】
図２（Ａ）は、オープンショーケースの外観斜視図であり、特に、営業時間帯での様子を示している。  
すなわち、陳列室４に冷蔵保存する商品（図示しない）を展示販売する状態を示していて、陳列室４の前面開口部Ｔから顧客が自由に商品を取出すことができる。なお、先に説明した図１も同様に、営業時間帯での状態を示している。
【００３４】
天板１ａの前端略中央部に、ここでは図示しないフックＦが取付けられている。フックＦは天板１ａ下面に沿った収納姿勢をなしていて、陳列室４へ突出していないから、顧客が無意識に手指他の身体一部を接触することが無く、安全性が維持されている。
【００３５】
また、陳列室４の底面壁４ｂ前端辺部に沿って設けられるナイトカバー収納部１３には、たとえば電気掃除機における電源コードの巻き取り機構と同様のゼンマイ機構等に連結され、透明または半透明の柔軟性のあるビニールシートで形成されたナイトカバーＮが巻回して収納されている。このナイトカバーＮの端部に設けられる把手部１４は、陳列室４の底面壁４ｂ前端に露出している。
【００３６】
図２（Ｂ）は、同じオープンショーケースの外観斜視図であるが、特に、非営業時間帯での様子を示している。  
すなわち、夜間・早朝時の商品を販売しない営業時間外での状態を示していて、把手部１４をもって引き上げることにより、ナイトカバーＮはナイトカバー収納部１３から引き出されて露出し、陳列室４の前面開口部Ｔを覆う。把手部１４を陳列室４上端まで引き上げるとともに、フックＦを後述する掛止姿勢に変えてから、把手部１４をフックＦに掛止する。
【００３７】
ナイトカバーＮは陳列室４の前面開口部Ｔを全面的に覆うことにより、冷凍サイクル運転の能力を下げても外気の侵入を阻止できる。したがって、省エネ運転が可能になり、運転コストの低減を得られる。
【００３８】
再び営業時間になったら、ナイトカバーＮの把手部１４をフックＦから外す。ゼンマイ機構が作用してナイトカバーＮを巻回しながらナイトカバー収納部１３に収納する。フックＦは自然的に天板１ａ下面に沿った収納姿勢に戻る。
【００３９】
図３は、フックＦを分解した斜視図である。  
フックＦは、直径が約３ｍｍφ程度の金属丸棒を曲成したフック本体２０と、直径が約０．５ｍｍφ程度のばね材からなるねじりばね３０と、板厚が約１ｍｍ程度の金属薄板からなる押さえ金具４０および取付けねじ５０とからなり、押さえ金具４０と取付けねじ５０とで、固定具６０を構成する。
【００４０】
前記フック本体２０は、変形した環状に曲成されるとともに、変形環状の一部が欠落している。  
なお説明すると、略コ字状をなすとともに、それぞれの辺部２１ａ，２１ｂ，２１ｃが直状であり、一方の側辺部２１ａが短く、中央辺部２１ｂおよび他方の側辺部２１ｃが長く形成されるばね巻装部である直状部２１と、一端部２２ａが短く形成されて直状部２１の短い側辺部２１ａの端部と間隙を有して対向し、中央辺部２２ｂは半円状に曲成され、他端部２２ｃは直状部２１の長い他方の側辺部２１ｃと一体に連設される掛止部２２とからなる。
【００４１】
直状部２１の中央辺部２１ｂは、ねじりばね３０のばね部３０ａ長さと略同長に形成される。また、直状部２１の短い側辺部２１ａと、掛止部２２の短い一端部２２ａとの間の間隙を、「嵌め込み用隙間」２５と呼ぶ。
【００４２】
一方、ねじりばね３０は、密着巻きされたばね部３０ａと、このばね部３０ａの一端から延長され、ばね部３０ａの軸方向と直交する方向に延出されるとともに、この延出端部がばね部３０ａの軸方向と同一方向に折曲されるばね保持部３０ｂと、前記ばね部３０ａの他端から延長され、一旦、ばね部３０ａの軸方向と直交する方向に延出されるとともに、この延出端部はばね部３０の軸方向と同一方向で、端末部が円環状に曲成される巻き付け当接部３０ｃとからなる。
【００４３】
押さえ金具４０は、両端部が平板状をなし、それぞれに孔部４１が設けられる取付け部４０ａとなっていて、取付け部４０ａ相互間は断面半円状に曲成された押さえ部４０ｂが設けられる。押さえ金具４０とともに固定具６０を構成する取付けねじ５０は、押さえ金具４０の取付け部４０ａに設けられる孔部４１に挿通可能である。
【００４４】
フックＦとして組立てるには、はじめに、ねじりばね３０の巻き付け当接部３０ｃを、フック本体２０の嵌め込み用隙間２５から直状部２１の一方の側辺部２１ａに嵌め込み、さらに巻き付け当接部３０ｃを中央辺部２１ｂに移動する。これにともない、ねじりばね３０のばね部３０ａがフック本体２０の嵌め込み用隙間２５から直状部２１の一方の側辺部２１ａに嵌め込まれていく。
【００４５】
図３に示すように、ねじりばね３０の巻き付け当接部３０ｃがフック本体２０の他方の側辺部２１ｃ（掛止２２の端部２２ｃとの連結部位）に移動した状態で、ねじりばね３０のばね部３０ａはフック本体２０の中央辺部２１ｂに移動する。
【００４６】
ねじりばね３０の巻き付け当接部３０ｃをフック本体２０の他方の側辺部２１ｃに嵌合固定することで、ねじりばね３０のばね部３０ｂはフック本体２０の中央辺部２１ｂに緩く嵌合し、巻装状態となる。この状態でねじりばね３０のばね保持部３０ｂは、フック本体２０に対して何らの係り合いもなく、斜め上方へ突出している。
【００４７】
なお、フック本体２０において、直状部２１の短く形成される一方の側辺部２１ａは必ずしも必要ではなく、フック本体２０は、少なくとも、ねじりばね３０のばね部３０ａを巻装する中央辺部２１ｂと、巻き付け当接部３０ｃを巻き付ける他方の側辺部２１ｃがあればよい。
【００４８】
ただし、ねじりばね３０のばね部３０ａは直状部２１の中央辺部２１ｂに緩く巻装しているので、短い側辺部２１ａが無いと、ばね部３０ａの位置が定まらず、一部が中央辺部２１ｂから突出する虞れがある。すなわち、フック本体２０の直状部２１における一方の側辺部２０ａは、ねじりばね３０のばね部３０ａの位置決めをなし、有効である。
【００４９】
図４（Ａ）、（Ｂ）は、互いに異なる状態にしてフックＦを組み立てて、被取付け部である天板１ａ下面に取付けた斜視図である。  
先に説明したように、ねじりばね３０のばね部３０ａをフック本体２０の直状部中央辺部２１ｂに緩く巻装するとともに、ねじりばね３０の巻き付け当接部３０ｃをフック本体２０の他方の側辺部２１ｃに巻き付けて固定するが、この状態で、ねじりばね３０のばね保持部３０ｂは上方へ突出している。
【００５０】
つぎに、押さえ金具４０の押さえ部４０ｂをねじりばね３０のばね部３０ａに押し当て、ねじりばね３０のばね保持部３０ｂを図中左方向に位置させた状態でフック本体２０とともに天板１ａ下面に押し付ける。このとき、ねじりばね３０のばね保持部３０ｂが上方へ突出しているので、ばね保持部３０ｂは天板１ａ下面に突き当たる。
【００５１】
そのまま、さらに押さえ金具４０を天板１ａ下面に押し付けることで、ねじりばね３０のばね保持部３０ｂがばね部３０ａの巻回方向である、図において左側で天板１ａ下面に押し倒される。  
最終的に、ねじりばね３０のばね保持部３０ｂは、巻回方向とは逆の方向に向かって天板１ａ下面と押さえ金具４０の取付け部４０ａとの間で固定され、その移動が規制される。
【００５２】
すると、ばね部３０ａに巻回方向への弾性力が蓄積され、ばね部３０ａの元に戻ろうとする弾性力（復元力）が巻き付け当接部３０ｃに作用して、図において巻き付け当接部３０ｃを右側に引き上げるよう回動付勢する。  
巻き付け当接部３０ｃの回動にともない、巻き付け当接部３０ｃを介してフック本体２０の直状部他辺部２１ｃも引き上げられ、結局、フック本体２０全体が回動付勢されることになる。
【００５３】
取付け用ねじ５０を押さえ金具４０の取付け部４０ａを介して天板１ａ下面に取付けることで、フック本体２０はねじりばね３０とともに押さえ金具４０と取付け用ねじ５０である、固定具６０によって天板１ａ下面に取付けられる。
【００５４】
なお、この押さえ金具４０を天板１ａ下面に取付けた状態において、ばね部３０ａと押さえ金具４０の押さえ部４０ｂとの間には隙間が設けられている。この隙間があることでばね部３０ａは弾性変形が可能となっており、かつ、ばね部３０ａが巻回されているフック本体２０の中央辺部２１ｂが、その軸を中心に回動可能に保持されることになる。
【００５５】
このようにして、ねじりばね３０の復元力によってフック本体２０は引き上げられて被取付け部である天板１ａ下面に当接し、自然的に収納される。特に、陳列室４の前面開口部Ｔへ突出する部品はないから、商品の取出しにあたって何らの障害とならない。
【００５６】
図４（Ａ）は、ねじりばね３０のばね保持部３０ｂを被取付け部である天板１ａ下面と固定具６０を構成する押さえ金具４０の取付け部４０ａとの間に挟み込むことで、ばね部３０ａを弾性変形させてフック本体２０の取付けを完成させた状態を示している。
【００５７】
このとき、ねじりばね３０のねじ保持部３０ｂが押さえ金具４０の表面（下面）に突出していないから、たとえばタオルなど布製のものをフックＦに接触させても、引っ掛かりが無く、安全性を確保できる。
【００５８】
ただし、天板１ａ下面への取付けにあたっては、ばね部３０ａに弾性力を加えた状態で固定する必要がある。このため、予め、ねじりばね３０のばね保持部３０ｂを押さえ金具４０の取付け部４０ａ上面に強制的に接触するよう保持しなければならない。
【００５９】
そして、この状態では、ばね部３０ａの弾性力が作用して巻き付け当接部３０ｃを介してフック本体２０が起き上ってしまうので、さらに、フック本体２０の起き上がりを規制しながら、押さえ金具４０を天板１ａ下面間に取付けなければならない。すなわち、フックＦの組立てに手間がかかることになる。
【００６０】
図４（Ｂ）は、ねじりばね３０のばね保持部３０ａを、固定具６０を構成する押さえ金具４０の取付け部４０ａ下面（表面）に当接させることで、ばね部３０ａを弾性変形させ、組立て時におけるばね保持部３０ｂの起き上がり移動を取付け部４０ａで規制する。
【００６１】
すなわち、ばね保持部３０ｂの移動規制を取付け部４０ａが代行するため、組み立て時にはフック本体２０の押さえ金具４０方向への起き上がりを押さえて、押さえ金具４０を天板１ａ下面に固定すればよく、フックＦの組立てが容易化する。
【００６２】
この場合、ばね保持部３０ａは、取付け部４０ａ下面から離れる方向には移動可能であるが、ばね保持部３０ａが取付け部４０ａ下面に向かう方向に、ばね部３０ａの弾性力（復元力）が働くように取付けられるため、ばね保持部３０ｂは取付け部４０ａ下面側に向けて移動し、取付け部４０ａ下面に当たってそれ以上の移動が規制される。
【００６３】
ただし、この取付方法では押さえ金具４０の取付け部４０ａ表面に、ねじりばね３０のばね保持部３０ｂが露出することになり、たとえばタオルなど布製のものをフックＦに接触させると、引っ掛かる虞れがある。このため、ばね保持部３０ｂを短くして取付け部４０ａから外に突出しない長さに設定する必要がある。
【００６４】
図５は、オープンショーケースの営業時間帯において、天板１ａ下面に収納されるフックＦを見上げた状態の斜視図である。先に図３および図４で示したような、フックＦを見下げた状態での斜視図とは、前後に反転することになる。
【００６５】
ねじりばね３０のばね保持部３０ｂが直接天板１ａ下面に当接して固定され、もしくは押さえ金具４０の取付け部４０ａに当接して天板１ａ下面に固定されるので、ねじ保持部３０ｂが、いわゆる「力点側」になる一方で、ばね部３０ａの弾性力が巻き付け当接部３０ｃに作用するので、巻き付け当接部３０ｃが、いわゆる「作用点側」になる。
【００６６】
ねじりばね３０の巻き付け当接部３０ｃがフック本体２０の直状部他方の側辺部２１ｃに巻き付いていることで、フック本体２０に対してねじりばね３０の弾性力、言い換えると、ねじりばね３０が元の形に戻ろうとする復元力、が作用し、フック本体２０は弾性的に引き上げられて天板１ａ下面に当接している。
【００６７】
このため、顧客が、陳列室４に陳列した商品を取出す場合でも、フックＦは陳列室４に対して何ら突出しておらず、自然的に収納状態になっているので、手指等が接触する虞れが無く、安全性が確保できる。
【００６８】
図６は、営業時間が終了して非営業時間になったときの、フックＦおよびナイトカバーＮの状態を示している。  
このとき店員は、一方の手で、陳列室４下端部のナイトカバー収納部１３からナイトカバーＮを引き上げて、ナイトカバーＮ上端に設けられる把手部１４をフックＦに接近させる。同時に、他方の手の指で、天板１ａ下面に当接しているフックＦのフック本体２０を下方に力を加えて、ねじりばね３０のばね部３０ａの弾性力に抗して天板１ａ下面から離間させる。
【００６９】
フック本体２０は、押さえ金具４０に抑えられる直状部中央辺部２１ｂを支点とし、掛止部２２が天板１ａ下面から漸次、離間する方向に回動する。フック本体２０に対する回動付勢力は、ねじりばね３０の巻回方向の弾性力を上回る程度であればよいので、比較的、容易に行える。
【００７０】
図７は、非営業時間帯でのフックＦおよびナイトカバーＮの状態を示している。  
フック本体２０を天板１ａに対して略９０°の位置に回動させるとともに、ナイトカバーＮ上端の把手部１４をフックＦ位置まで引き上げる。そして、把手部１４をフック本体２０の嵌め込み用隙間２５に挿入し、下部側に変位した掛止部２２に掛止する。
【００７１】
このあと、フックＦとナイトカバーＮから手指を離反させれば、ナイトカバーＮはフックＦに吊持状態になり、陳列室４の前面開口部Ｔを覆うことになる。すなわち、フックＦは天板１ａ下面に自然的に収納する姿勢から、ナイトカバーＮの吊持姿勢に円滑に変化できる。
【００７２】
なお、ねじりばね３０のばね部３０ａの巻回方向の弾性力は、ナイトカバーＮの自重およびナイトカバーＮの巻き取り機構の巻き取り力を合わせた力よりも弱くなるように設定されているため、フックＦは天板１ａ下面に戻ることなく、下方に引き出された状態を維持する。
【００７３】
このときフックＦは、フック本体２０の嵌め込み用隙間２５が奥側にあるので、この嵌め込み用隙間２５に手指他の何らかのものを引っ掛ける虞れが無く、ここでも安全性が確保される。さらに、フック本体２０の直状部２１と掛止部２２の連結辺部が手前側にあるので、美観を損なうことがない。
【００７４】
ナイトカバーＮは、必ずしも把手部１４を必要とせず、単なる孔部を設けて、フック本体２０の嵌め込み用隙間２５に掛止するようにしてもよい。ただし、把手部１４を備えることで、ナイトカバーＮのナイトカバー収納部１３からの引き上げを容易に行うことができる。
【００７５】
非営業時間が終わって営業時間帯になれば、ナイトカバーＮの把手部１４をフックＦから取外す。ねじりばね３０の弾性力が作用して、フックＦは自然的に天板１ａ下面に当接保持され、収納姿勢になる。ナイトカバーＮに対しては巻き取り機構と同様のゼンマイ機構等が作動し、ナイトカバー収納部１３に引き戻されて収納される。したがって、陳列室４の前面開口部Ｔは再び開放状態になる。
【００７６】
以上、陳列室４の前面が開口するオープンショーケースを適用して説明したが、陳列室の前面および左右両側面の３方向が開口するタイプのオープンショーケースの場合は、それぞれの開口部にナイトカバーＮを取付けるので、それぞれのナイトカバーＮを掛止するフックＦを備える必要がある。
【００７７】
そして、ここでフックＦは、オープンショーケースにおいてナイトカバーＮを吊持するためのものとして説明したが、これに限定されるものではなく、何らかのものを吊持可能であり、吊持しない場合は自然的に収納姿勢になって、他のものの収納、もしくは取出しの障害とならないことは、言うまでもない。  
したがって、フックＦの取付け位置は、必ずしも被取付け部の上端に限定されるものでではなく、側部もしくは下端に取付けられることもあり得る。
【００７８】
以上、本実施形態を説明したが、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００７９】
２１…ばね巻装部（直状部）、２２…掛止部、２０…フック本体、３０ａ…ばね部、３０ｂ…ばね保持部、３０ｃ…巻き付け当接部、３０…ねじりばね、６０…固定具、２５…嵌め込み用隙間、１…ショーケース本体、Ｔ…前面開口部、４…陳列室、１１…蒸発器、１０…送風機、６…エアカーテン吹出し口、Ｄ…冷気循環用ダクト、９…吸込み口、Ｆ…フック、Ｎ…ナイトカバー
【図１】
2015208600.tif 000003
【図２】
2015208600.tif 000004
【図３】
2015208600.tif 000005
【図４】
2015208600.tif 000006
【図５】
2015208600.tif 000007
【図６】
2015208600.tif 000008
【図７】
2015208600.tif 000009
【手続補正書】
【提出日】平成27年1月20日(2015.1.20)
【手続補正１】
【補正対象書類名】特許請求の範囲
【補正対象項目名】全文
【補正方法】変更
【補正の内容】
【特許請求の範囲】
【請求項１】
少なくとも互いに直交する方向に延びる２つの辺部を有するばね巻装部および、前記ばね巻装部の一方の辺部と一体に連設される掛止部とからなるフック本体と、
前記フック本体の前記ばね巻装部の他方の辺部に巻装されるばね部と、前記ばね部の一端から延出されるばね保持部および、前記ばね部の他端から延出され前記フック本体の前記ばね巻装部の一方の辺部に巻き付き固定される巻き付け当接部を有するねじりばねと、
前記ばね保持部の移動を規制するとともに前記フック本体を被取付け部に対して回動可能に保持することにより、前記ばね部を弾性変形させ、前記ばね部を介して前記巻き付け当接部に弾性力を作用させて前記フック本体を被取付け部に当接させる固定具と、を具備し、
前記フック本体が被取付け部に当接した状態で、前記ねじりばねの弾性力に抗して前記フック本体を付勢することにより、前記フック本体を被取付け部から離反させ、前記フック本体の前記掛止部に被掛止物を掛止可能としたことを特徴とするフック。
【請求項２】
前記ばね保持部を前記固定具と被取付け部との間に介在して、前記ばね部を弾性変形させることを特徴とする請求項１記載のフック。
【請求項３】
前記ばね保持部を前記固定具表面に当接して、前記ばね部を弾性変形させることを特徴とする請求項１記載のフック。
【請求項４】
前記フック本体の前記ばね巻装部における他方の辺部と、前記掛止部の一端部とは、嵌め込み用隙間を介して対向することを特徴とする請求項１ないし請求項３のいずれか記載のフック。
【請求項５】
前記フック本体における、前記ばね巻装部の一方の辺部と前記掛止部との一体連設部分を手前側とし、前記嵌め込み用隙間を奥側にして、前記掛止部に被掛止物を掛止可能としたことを特徴とする請求項４記載のフック。
【請求項６】
断熱材で構成されるショーケース本体と、
前記ショーケース本体内に設けられ、商品を陳列するとともに、商品を取出し自在な開口部を有する陳列室と、
前記陳列室外部で、前記ショーケース本体下部に配置され冷凍サイクルを構成する蒸発器および送風機と、
前記送風機から送風され、前記蒸発器で熱交換して生成された冷気を、前記陳列室外部の下部から上部および前記陳列室の開口部上端に設けられるエアカーテン吹出し口に沿って流通案内する冷気循環用ダクトと、
前記陳列室の開口部下端に設けられ、前記エアカーテン吹出し口から前記陳列室の開口部を亘って吹出された冷気を吸込み案内して前記送風機に導く吸込み口と、を具備し、
請求項１ないし請求項５のいずれか記載のフックを、前記陳列室の開口部上端に備え、前記貯蔵室の開口部下端にナイトカバーを引出し可能に収納した
ことを特徴とするオープンショーケース。
【手続補正２】
【補正対象書類名】明細書
【補正対象項目名】００１２
【補正方法】変更
【補正の内容】
【００１２】
本実施形態のフックは、少なくとも互いに直交する方向に延びる２つの辺部を有するばね巻装部およびばね巻装部の一方の辺部と一体に連設される掛止部とからなるフック本体と、フック本体のばね巻装部の他方の辺部に巻装されるばね部と、ばね部の一端から延出されるばね保持部および、ばね部の他端から延出されフック本体のばね巻装部の一方の辺部に巻き付き固定される巻き付け当接部を有するねじりばねと、ばね保持部の移動を規制するとともにフック本体を被取付け部に対して回動可能に保持することにより、ばね部を弾性変形させ、ばね部を介して巻き付け当接部に弾性力を作用させてフック本体を被取付け部に当接させる固定具とを具備し、前記フック本体が被取付け部に当接した状態でねじりばねの弾性力に抗してフック本体を付勢することにより、フック本体を被取付け部から離反させ、フック本体の掛止部に被掛止物を掛止可能とした。  
本実施形態のオープンショーケースは、断熱材で構成されるショーケース本体と、ショーケース本体内に設けられ商品を陳列するとともに商品を取出し自在な開口部を有する陳列室と、陳列室外部でショーケース本体下部に配置され冷凍サイクルを構成する蒸発器および送風機と、送風機から送風され蒸発器で熱交換して生成された冷気を陳列室外部の下部から上部および陳列室の開口部上端に設けられるエアカーテン吹出し口に沿って流通案内する冷気循環用ダクトと、陳列室の開口部下端に設けられエアカーテン吹出し口から陳列室の開口部を亘って吹出された冷気を吸込み案内して送風機に導く吸込み口とを具備し、上述のフックを陳列室の開口部上端に備え、貯蔵室の開口部下端にナイトカバーを引出し可能に収納した。
【手続補正３】
【補正対象書類名】明細書
【補正対象項目名】００４５
【補正方法】変更
【補正の内容】
【００４５】
図３に示すように、ねじりばね３０の巻き付け当接部３０ｃがフック本体２０の他方の側辺部２１ｃ（掛止部２２の端部２２ｃとの連結部位）に移動した状態で、ねじりばね３０のばね部３０ａはフック本体２０の中央辺部２１ｂに移動する。
【手続補正４】
【補正対象書類名】明細書
【補正対象項目名】００４６
【補正方法】変更
【補正の内容】
【００４６】
ねじりばね３０の巻き付け当接部３０ｃをフック本体２０の他方の側辺部２１ｃに嵌合固定することで、ねじりばね３０のばね部３０ａはフック本体２０の中央辺部２１ｂに緩く嵌合し、巻装状態となる。この状態でねじりばね３０のばね保持部３０ｂは、フック本体２０に対して何らの係り合いもなく、斜め上方へ突出している。
【手続補正書】
【提出日】平成27年3月2日(2015.3.2)
【手続補正１】
【補正対象書類名】特許請求の範囲
【補正対象項目名】請求項６
【補正方法】変更
【補正の内容】
【請求項６】
断熱材で構成されるショーケース本体と、
前記ショーケース本体内に設けられ、商品を陳列するとともに、商品を取出し自在な開口部を有する陳列室と、
前記陳列室外部で、前記ショーケース本体下部に配置され冷凍サイクルを構成する蒸発器および送風機と、
前記送風機から送風され、前記蒸発器で熱交換して生成された冷気を、前記陳列室外部の下部から上部および前記陳列室の開口部上端に設けられるエアカーテン吹出し口に沿って流通案内する冷気循環用ダクトと、
前記陳列室の開口部下端に設けられ、前記エアカーテン吹出し口から前記陳列室の開口部を亘って吹出された冷気を吸込み案内して前記送風機に導く吸込み口と、を具備し、
請求項１ないし請求項５のいずれか記載のフックを、前記陳列室の開口部上端に備え、前記陳列室の開口部下端にナイトカバーを引出し可能に収納した
ことを特徴とするオープンショーケース。
【手続補正２】
【補正対象書類名】明細書
【補正対象項目名】００１２
【補正方法】変更
【補正の内容】
【００１２】
本実施形態のフックは、少なくとも互いに直交する方向に延びる２つの辺部を有するばね巻装部およびばね巻装部の一方の辺部と一体に連設される掛止部とからなるフック本体と、フック本体のばね巻装部の他方の辺部に巻装されるばね部と、ばね部の一端から延出されるばね保持部および、ばね部の他端から延出されフック本体のばね巻装部の一方の辺部に巻き付き固定される巻き付け当接部を有するねじりばねと、ばね保持部の移動を規制するとともにフック本体を被取付け部に対して回動可能に保持することにより、ばね部を弾性変形させ、ばね部を介して巻き付け当接部に弾性力を作用させてフック本体を被取付け部に当接させる固定具とを具備し、前記フック本体が被取付け部に当接した状態でねじりばねの弾性力に抗してフック本体を付勢することにより、フック本体を被取付け部から離反させ、フック本体の掛止部に被掛止物を掛止可能とした。  
本実施形態のオープンショーケースは、断熱材で構成されるショーケース本体と、ショーケース本体内に設けられ商品を陳列するとともに商品を取出し自在な開口部を有する陳列室と、陳列室外部でショーケース本体下部に配置され冷凍サイクルを構成する蒸発器および送風機と、送風機から送風され蒸発器で熱交換して生成された冷気を陳列室外部の下部から上部および陳列室の開口部上端に設けられるエアカーテン吹出し口に沿って流通案内する冷気循環用ダクトと、陳列室の開口部下端に設けられエアカーテン吹出し口から陳列室の開口部を亘って吹出された冷気を吸込み案内して送風機に導く吸込み口とを具備し、上述のフックを陳列室の開口部上端に備え、陳列室の開口部下端にナイトカバーを引出し可能に収納した。
【手続補正３】
【補正対象書類名】明細書
【補正対象項目名】００３２
【補正方法】変更
【補正の内容】
【００３２】
エアカーテン吹出し口６から吹出された冷気は、陳列室４の前面開口部Ｔに沿って流通し、冷気のエアカーテンを形成する。そして、冷気は吸込み口９に導かれ、ここから熱交換室５に案内されて、前記送風機１０により上述の系路を循環する。